(57)【要約】【課題】回路図から夫々の部品のプリント基板上の位置を容易に判別できるプリント基板の部品識別方法を提供する。【解決手段】プリント基板の表面および裏面の双方に部品が配置されるプリント基板の回路を表示する回路図において、部品を表示する記号またはリファレンス番号Ｒ５００、Ｒ５０１…の近傍にプリント基板の表面または裏面のいずれにその部品が実装されているかを表示する識別マーク２を記し、その識別マーク２を見ることによりプリント基板上の部品配置位置を確認する。【選択図】        図１
2004342788.tif 000002
【特許請求の範囲】
【請求項１】
プリント基板の表面および裏面の双方に部品が配置されるプリント基板の回路を表示する回路図において、部品を表示する記号またはリファレンス番号の近傍にプリント基板の表面または裏面のいずれにその部品が実装されているかを表示する識別マークを記し、その識別マークを見ることによりプリント基板上の部品配置位置を確認することを特徴とするプリント基板の部品識別方法。
【請求項２】
前記識別マークはプリント基板の表面に配置される部品を表示する記号またはリファレンス番号の近傍のみに記されていることを特徴とする請求項１のプリント基板の部品識別方法。
【発明の詳細な説明】
【０００１】
【発明の属する技術分野】
この発明はプリント基板の部品識別方法に係わり、特に、表面および裏面の双方に部品が配置されるプリント基板の部品の配置位置を容易に識別できるプリント基板の部品識別方法に関する。
【０００２】
【従来の技術】
電子機器のサービスマニュアルは、製品修理に必要な情報が記載されているマニュアルであり、サービスマニュアルにはプリント基板の回路を表示する回路図やプリント基板図が含まれている。回路図は回路構成を図面に表したもので、各素子間の結線、信号経路、電源経路および電圧値等を記載することにより、回路の理解を深め、修理時の故障場所の追跡やチェックを容易にするものである。
【０００３】
プリント基板図は、製品のプリント基板の修理またはチェック時に、部品の位置やパターンの接続等を確認するため、プリント基板の表面（プリント基板の第１層の面であり通常部品面と称されている）および裏面（プリント基板の最終層の面であり、例えば、４層基板では４層目であるが、通常ハンダ面と称されている）のシルク図を見易く図面に表したものである。
【０００４】
従来のサービスマニュアルに記載された回路図の一部の例を図４に示す。図５は同回路図の基板の表面を示すプリント基板図、図６は同回路図の基板の裏面を示すプリント基板図である。図４に示す回路図には抵抗・コンデンサ、ダイオード、ＩＣおよびトランジスタを夫々表示する記号の近傍に夫々の部品のリファレンス番号（Ｒ１、Ｒ２…、Ｃ１、Ｃ２…、Ｄ２、ＩＣ１、Ｑ１）が記されている。
【０００５】
また、図５および図６に示すプリント基板図には夫々プリント基板の表面および裏面に配置される部品の近傍に上記した回路図中に記載されたものと対応して同じリファレンス番号が記されている。また、プリント基板表面の導体パターン１の形状が記されている。
【０００６】
上記した図４に示す回路図中にはリファレンス番号の部品がプリント基板の表面に配置されるか裏面に配置されるを識別する識別マークが記されていない。そのため、回路図を参照してプリント基板へ実装されている部品を探すときに、プリント基板の表面および裏面の両方から部品を探す必要があり、探し出すまでに長時間を要していた。
【０００７】
実公平６−３９４７３号公報に提案されたプリント回路基板は互いに機能が異なる複数種類の回路を構成するための導体パターンが共通基板に形成されており、各機能の専用部品の搭載領域が同一箇所に形成されている。従って、１種の回路の専用部品を搭載すれば、他の回路の専用部品の搭載が不能となり、誤って２種以上の専用部品が同時に搭載される恐れがなくなる。
【０００８】
実公平６−３９４７３号公報にはプリント回路基板の回路を示す回路図中に各部品がプリント基板の表面に配置されるか裏面に配置されるを識別する識別マークを記すという記載はなく、プリント基板中の部品を探のに手間がかかることが想定される。
【０００９】
【特許文献１】
実公平６−３９４７３号公報（第２−３頁、第１図、第２図）
【００１０】
【発明が解決しようとする課題】
この発明は上記した点に鑑みてなされたものであって、その目的とするところは、回路図から夫々の部品のプリント基板上の位置を容易に判別できるプリント基板の部品識別方法を提供することにある。
【００１１】
【課題を解決するための手段】
この発明のプリント基板の部品識別方法は、プリント基板の表面および裏面の双方に部品が配置されるプリント基板の回路を表示する回路図において、部品を表示する記号またはリファレンス番号の近傍にプリント基板の表面または裏面のいずれにその部品が実装されているかを表示する識別マークを記し、その識別マークを見ることによりプリント基板上の部品配置位置を確認するものである。
【００１２】
また、前記プリント基板の部品識別方法において、前記識別マークをプリント基板の表面に配置される部品を表示する記号またはリファレンス番号の近傍のみに記すものである。
【００１３】
【発明の実施の形態】
この発明のプリント基板の部品識別方法が適用された実施例を図面に基づいて説明する。図１はこの発明の実施例に用いられたプリント基板の回路図、図２は同プリント基板の表面を示す基板図、図３は同プリント基板の裏面を示す基板図である。
【００１４】
図１に示すサービスマニアルの回路図には、抵抗・コンデンサ、ＩＣ、コイルの記号を表示した近傍に夫々の部品のリファレンス番号（Ｒ５００、Ｒ５０１…、Ｃ５０３、Ｃ５０４…、ＩＣ５００、Ｌ５００、Ｌ５０１…）が記されている。
【００１５】
また、図２および図３に示すプリント基板図には夫々プリント基板の表面および裏面に配置される部品の近傍に上記した回路図中に記載されたものと対応して同じリファレンス番号が記されている。また、プリント基板表面の導体パターン１の形状が記されている。
【００１６】
上記した図１に示す回路図中のリファレンス番号の部品がプリント基板の表面側に配置されるものであると、そのリファレンス番号、例えばＲ５００、Ｒ５０１、Ｒ５０２の近傍に黒丸印の識別マーク２が記されている。この識別マーク２は対応する部品がプリント基板の表面側に配置されていることを示すので、プリント基板の表面側を探すことによりその部品を素早く見つけることができる。
【００１７】
なお、識別マーク２の記されていないリファレンス番号の部品はプリント基板の裏面側に配置されていることを示すので、プリント基板の裏面側を探すことによりその部品を素早く見つけることができる。
【００１８】
実施例は以上のように構成されているが発明はこれに限られず、例えば、プリント基板の裏面に配置される部品のみそのリファレンス番号の近傍に識別マークを記してもよい。また、プリント基板の表面に配置される部品と裏面に配置される部品とで夫々異なる識別マークを用いてもよい。
【００１９】
【発明の効果】
この発明のプリント基板の部品識別方法によれば、回路図を見るだけで実装されている部品がプリント基板の表側にあるか裏側にあるか判別できるので、部品を素早く探すことができる。特に、部品実装密度の高いプリント基板において大きい効果が得られる。
【図面の簡単な説明】
【図１】この発明の実施例に用いられたプリント基板の回路の一部を示す回路図である。
【図２】同プリント基板の表面を示す基板図である。
【図３】同プリント基板の裏面を示す基板図である。
【図４】従来のプリント基板の回路の一部を示す回路図である。
【図５】同プリント基板の表面を示す基板図である。
【図６】同プリント基板の裏面を示す基板図である。
【符号の説明】
１  導体パターン
２  識別マーク
Ｒ１、Ｒ２…  抵抗リファレンス番号
Ｃ１、Ｃ２…  コンデンサリファレンス番号
Ｄ２  ダイオードリファレンス番号
ＩＣ１、ＩＣ５００  ＩＣリファレンス番号
Ｑ１  トランジスタリファレンス番号
【図１】
2004342788.tif 000003
【図２】
2004342788.tif 000004
【図３】
2004342788.tif 000005
【図４】
2004342788.tif 000006
【図５】
2004342788.tif 000007
【図６】
2004342788.tif 000008